(57)【要約】【課題】  携帯情報機器において、一覧表示された情報の中からの、拡大表示させる部分の変更を、ユーザにとって容易なものとする。【解決手段】  画面５０９では、ファイル名表示欄５４０とともに、全体表示画面５６０と部分拡大画面５６２とが表示されている。全体表示画面５６０は、現在表示対象となっているドキュメントの全体を表示させる画面である。全体表示画面５６０には、ルーペ画像５６１が表示される。部分拡大画面５６２は、全体表示画面５６０に表示されたドキュメントの、ルーペ画像５６１を中心とした部分を拡大して表示する画面である。部分拡大画面５６２では、右方向に継続的にスクロール表示がなされる。これに応じて、全体表示画面５６０におけるルーペ画像５６１の表示位置も、右方向に移動する。【選択図】        図１７
2005267049.tif 000002
【特許請求の範囲】
【請求項１】
情報を表示する表示手段と、
前記表示手段に表示するための文書情報を記憶する記憶手段と、
前記表示手段に、前記記憶手段に記憶された或る文書情報の全体を表示する全体表示画面と、前記或る文書情報の一部分を特定する情報である特定用情報と、前記或る文書情報の中の前記特定用情報で特定される部分の近傍を拡大して表示する部分拡大画面とを表示させる表示制御手段と、
前記或る文書情報の中で、前記特定用情報が特定する部分を継続的に前記或る文書情報についての所定の方向に移動させる移動制御手段とを備える、携帯情報機器。
【請求項２】
前記表示制御手段は、前記表示手段において、前記全体表示画面を、前記部分拡大画面と重なりを持たないように構成する、請求項１に記載の携帯情報機器。
【請求項３】
前記表示制御手段は、前記表示手段において、前記全体表示画面の全体と前記部分拡大画面の全体を視認可能に表示させる、請求項１に記載の携帯情報機器。
【請求項４】
前記表示制御手段は、前記特定用情報として、前記全体表示画面の前記或る文書情報の一部分に、所定の画像を表示させる、請求項１〜請求項３のいずれかに記載の携帯情報機器。
【請求項５】
前記或る文書情報は、テキスト情報を含み、
前記或る文書情報の中で、前記所定の方向に交わる特定の方向について前記部分拡大画面に表示させる行数の入力を受付ける受付手段をさらに備え、
前記表示制御手段は、前記特定の方向について前記受付手段に入力された行数だけ前記或る文書情報のテキスト情報を前記部分拡大画面に表示させる、請求項１〜請求項４のいずれかに記載の携帯情報機器。
【請求項６】
前記或る文書情報の中で、前記所定の方向に交わる特定の方向について前記部分拡大画面に表示させる所定の表示幅の入力を受付ける受付手段をさらに備え、
前記表示制御手段は、前記特定の方向について前記受付手段に入力された所定の表示幅だけ前記或る文書情報を前記部分拡大画面に表示させる、請求項１〜請求項４のいずれかに記載の携帯情報機器。
【請求項７】
前記所定の方向は、前記或る文書情報についての左右方向であり、
前記特定の方向は、前記或る文書情報についての上下方向である、請求項５または請求項６に記載の携帯情報機器。
【請求項８】
情報を表示し、全体表示画面と部分拡大画面とを含む表示手段を含む携帯情報機器を制御する制御方法であって、
前記表示手段に表示するための文書情報を記憶するステップと、
前記全体表示画面に、前記記憶した文書情報の中の或る文書情報の全体を表示させるステップと、
前記表示手段に、前記或る文書情報の一部分を特定する情報である特定用情報を表示させるステップと、
前記部分拡大画面に、前記或る文書情報の中の前記特定用情報で特定される部分の近傍を拡大して表示させるステップと、
前記或る文書情報の中で、前記特定用情報が特定する部分を継続的に前記或る文書情報についての所定の方向に移動させるステップとを備える、携帯情報機器の制御方法。
【請求項９】
携帯情報機器に、請求項８に記載の携帯情報機器の制御方法の備えるステップを実行させる、携帯情報機器の制御プログラム。
【発明の詳細な説明】
【技術分野】
【０００１】
本発明は、携帯情報機器、その制御方法、および、その制御プログラムに関し、特に、表示手段において、或る画像を一覧表示し、かつ、当該或る画像の一部分を拡大表示させる携帯情報機器、その制御方法、および、その制御プログラムに関するものである。
【背景技術】
【０００２】
従来から、画像情報がディスプレイ等の表示手段に表示されることに関して、種々、技術が開示されてきた。
【０００３】
たとえば、引用文献１〜引用文献４には、表示手段において、画像を一覧表示し、かつ、当該一覧表示された画像の一部分を拡大表示させる技術が開示されている。
【０００４】
特に、引用文献１では、画像表示メモリのうちの任意の領域の画素情報を読み出す読み出し回路と、転写メモリとが備えられ、読み出し回路によって読み出された画素情報が、与えられた拡大率に対応させて転写メモリの拡大領域に転写された後、表示メモリに書き移される技術が開示されている。
【０００５】
また、引用文献２では、一覧表示された画面内に、拡大表示された画面と、領域表示マークとして一覧表示された部分の中のどこが拡大表示されているかを明示するマークとが表示される技術が開示されている。
【０００６】
また、引用文献３では、拡大表示された部分をルーペウィンドウとして表示させ、かつ、ユーザが操作することにより、一覧表示された画面の中から、拡大表示させる部分を移動することができる技術が開示されている。
【０００７】
また、引用文献４では、拡大表示する画面が、一覧表示する画面とは別に用意され、また、拡大表示する画面でさらにスクロールバーを表示して拡大された画面がスクロール可能に構成されてもよい、という技術が開示されている。このような引用文献４によると、スクロールバーを用いて操作を行なうことにより、一覧表示する画面の表示内容を変更することなく、一覧表示で小さく表示された画像の中の、拡大表示する画面での表示対象となる部分を変更することができる。
【０００８】
なお、ＰＤＡ（Personal Digital Assistant）、携帯電話等の携帯情報機器が備える表示装置は、デスクトップ型ＰＣ（Personal Computer）等の備付け型の情報機器が備える表示装置よりも小さい。その結果、備付け型の情報機器が比較的多くの情報を一度に表示できるのに対し、携帯情報機器は、限られた量の情報しか一度に表示することができないと言える。このため、従来から、携帯情報機器において、上記したような、画像を一覧表示し、かつ、一部分を拡大表示する技術は、重要なものとされてきた。
【特許文献１】実開昭６２−１２４５８０号公報
【特許文献２】特開２００１−１４２６０２号公報
【特許文献３】特開昭６３−１５３６２６号公報
【特許文献４】特開平４−２７０３８４号公報
【発明の開示】
【発明が解決しようとする課題】
【０００９】
しかしながら、上記した各引用文献に開示された技術では、一覧表示された画面の中で拡大させたい部分は、ユーザの操作によって指定する必要があった。つまり、一覧表示された画面の中で拡大表示させる部分を変更するためには、いちいち、ユーザが変更のための操作をする必要があった。このようなことは、一般的に、表示装置と同様に操作する部分も小さい携帯情報機器にとっては、重要な課題と考えられていた。
【００１０】
本発明は、かかる実情に鑑み考え出されたものであり、その目的は、携帯情報機器において、一覧表示された情報の中からの、拡大表示させる部分の変更を、ユーザにとって容易なものとすることである。
【課題を解決するための手段】
【００１１】
本発明に従った携帯情報機器は、情報を表示する表示手段と、前記表示手段に表示するための文書情報を記憶する記憶手段と、前記表示手段に、前記記憶手段に記憶された或る文書情報の全体を表示する全体表示画面と、前記或る文書情報の一部分を特定する情報である特定用情報と、前記或る文書情報の中の前記特定用情報で特定される部分の近傍を拡大して表示する部分拡大画面とを表示させる表示制御手段と、前記或る文書情報の中で、前記特定用情報が特定する部分を継続的に前記或る文書情報についての所定の方向に移動させる移動制御手段とを備えることを特徴とする。
【００１２】
また、本発明に従った携帯情報機器では、前記表示制御手段は、前記表示手段において、前記全体表示画面を、前記部分拡大画面と重なりを持たないように構成することが好ましい。
【００１３】
また、本発明に従った携帯情報機器では、前記表示制御手段は、前記表示手段において、前記全体表示画面の全体と前記部分拡大画面の全体を視認可能に表示させることが好ましい。
【００１４】
また、本発明に従った携帯情報機器では、前記表示制御手段は、前記特定用情報として、前記全体表示画面の前記或る文書情報の一部分に、所定の画像を表示させることが好ましい。
【００１５】
また、本発明に従った携帯情報機器では、前記或る文書情報は、テキスト情報を含み、前記或る文書情報の中で、前記所定の方向に交わる特定の方向について前記部分拡大画面に表示させる行数の入力を受付ける受付手段をさらに備え、前記表示制御手段は、前記特定の方向について前記受付手段に入力された行数だけ前記或る文書情報のテキスト情報を前記部分拡大画面に表示させることが好ましい。
【００１６】
また、本発明に従った携帯情報機器は、前記或る文書情報の中で、前記所定の方向に交わる特定の方向について前記部分拡大画面に表示させる所定の表示幅の入力を受付ける受付手段をさらに備え、前記表示制御手段は、前記特定の方向について前記受付手段に入力された所定の表示幅だけ前記或る文書情報を前記部分拡大画面に表示させることが好ましい。
【００１７】
また、本発明に従った携帯情報機器では、前記所定の方向は、前記或る文書情報についての左右方向であり、前記特定の方向は、前記或る文書情報についての上下方向であることが好ましい。
【００１８】
本発明に従った携帯情報機器の制御方法は、情報を表示し、全体表示画面と部分拡大画面とを含む表示手段を含む携帯情報機器を制御する制御方法であって、前記表示手段に表示するための文書情報を記憶するステップと、前記全体表示画面に、前記記憶した文書情報の中の或る文書情報の全体を表示させるステップと、前記表示手段に、前記或る文書情報の一部分を特定する情報である特定用情報を表示させるステップと、前記部分拡大画面に、前記或る文書情報の中の前記特定用情報で特定される部分の近傍を拡大して表示させるステップと、前記或る文書情報の中で、前記特定用情報が特定する部分を継続的に前記或る文書情報についての所定の方向に移動させるステップとを備えることを特徴とする。
【００１９】
本発明に従った携帯情報機器の制御プログラムは、上記した携帯情報機器の制御方法の備えるステップを、携帯情報機器に実行させることを特徴とする。
【発明の効果】
【００２０】
本発明によると、全体表示画面に表示される或る文書情報の中の、部分拡大画面において拡大表示の対象とされる部分が継続的に移動される。
【００２１】
これにより、部分拡大画面において拡大表示される部分が継続的に変更されることになる。
【００２２】
したがって、ユーザは、携帯情報機器に対して、敢えて拡大表示させる部分の変更のための操作を行なうことなく、拡大表示される部分を変更することができる。つまり、ユーザにとって、携帯情報機器における、一覧表示された情報の中からの拡大表示させる部分の変更が容易なものとなる。
【００２３】
また、携帯情報機器側で継続的に拡大表示される部分が変更されるため、引用文献４に記載されたような、ユーザが拡大表示される部分を変更するために必要とされるスクロールバーが設けられなくてもよくなる。このため、拡大表示される画面に、スクロールバーの分だけ多くの情報を表示することができる。
【００２４】
また、本発明によると、全体表示画面が、部分拡大画面と重なりを持たないように構成されるため、或る文書情報について、全体表示と部分的な拡大表示の双方を、互いに邪魔することなく表示させることができる。
【００２５】
また、本発明によると、全体表示画面と部分拡大画面の両方が、その全体を視認可能に表示されるため、全体表示と部分的な拡大表示の双方を、互いに邪魔することなく表示させることができる。
【００２６】
また、本発明によると、ユーザは、部分拡大画面にどの部分が拡大表示されているかを、全体表示画面において所定の画像がどこに表示されているかを把握することによって、把握できる。つまり、ユーザは、部分拡大画面にどの部分が拡大表示されているかを容易に把握できる。
【００２７】
また、本発明によると、拡大表示される画面では、拡大表示の対象となる部分は、或る文書情報において、所定の方向に沿って、継続的に移動される。これにより、ユーザは、所定の方向について連続的に或る文書情報についての拡大表示を見ることができるため、或る文書情報の内容を理解しやすくなる。
【００２８】
また、本発明によると、部分拡大画面における表示の拡大倍率が、ユーザの所望するものとされる。具体的には、テキスト情報についてユーザが部分拡大画面に表示されることを希望する行数だけ部分拡大画面に表示されるように、当該部分拡大画面における表示の拡大倍率が決定される。
【００２９】
また、本発明によると、文書情報がテキスト情報を含まない場合であっても、表示対象となる文書情報の中の、ユーザが入力する幅（表示幅）に含まれる文書情報を、部分拡大画面において、拡大して表示させることもできる。これにより、部分拡大画面に表示された内容が、大きすぎて認識しにくい事態や、逆に、小さすぎて内容を認識しにくい事態を回避ことができる。このような技術は、特に、表示対象となる文書情報が、特定の方向について特定の幅の画像パターンを有する有する場合に有効であると考えられる。
【００３０】
また、本発明によると、部分拡大画面における拡大表示が水平方向に継続的にスクロールされ、そして、ユーザが垂直方向について所望する行数だけ部分拡大画面にテキスト情報が表示されるよう、部分拡大画面における拡大倍率が決定される。つまり、或る文書情報が横書きのテキスト情報を含む場合、ユーザは、部分拡大画面の表示を見ることにより、当該或る文書情報の内容を容易に理解できる。
【発明を実施するための最良の形態】
【００３１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３２】
図１は、本発明の携帯情報機器の一実施の形態である送受信機能を有する携帯電話機１００の斜視図である。
【００３３】
携帯電話機１００は、本体１０１を備えている。本体１０１には、ＬＣＤ（liquid crystal display）等からなるディスプレイ１５０、複数のキーを含む入力部１２０、スピーカ１７４、および、マイク１７２が備えられている。入力部１２０には、数字等の入力のためのテンキーを含む１２キー１２４、上キー１２１Ａ、下キー１２１Ｂ、左キー１２１Ｃ、右キー１２１Ｄ、および、機能キー１２２Ａ〜１２２Ｃが含まれる。なお、携帯電話機１００の構成は、図１に示された態様に限定されず、折畳式（１軸方式、２軸方式）の携帯電話機等であっても良い。
【００３４】
図２は、携帯電話機１００の機能ブロック図である。
【００３５】
図２をさらに参照して携帯電話機１００について説明すると、携帯電話機１００は、表示処理部１１１、レイアウト解析部１１２、スクロール処理部１１３、ワークメモリ１１５、ＶＲＡＭ（Video Random Access Memory）１１６、ドキュメント記憶部１１７、プログラム記憶部１１８、合成用画像記憶部１８０、通話処理部１７５、通信処理部１７０、および、アンテナ１０８をさらに備えている。
【００３６】
表示処理部１１１は、ディスプレイ１５０の表示を制御する。具体的には、入力部１２０からの指示に基づいて、ドキュメント記憶部１１７から適宜表示しようとする文書を選択し、レイアウト解析部１１２に選択された文書をディスプレイ１５０に表示させるのに適する形態の画像にしてワークメモリ１１５に展開させ、展開された画像の中からディスプレイ１５０に表示させる部分を選択し当該選択された部分の画像をＶＲＡＭ１１６へと送り、そして、ＶＲＡＭ１１６に送られた画像をディスプレイ１５０に表示させる。
【００３７】
通話処理部１７５、通信処理部１７０、および、アンテナ１０８は、携帯電話機１００の音声通話のために動作する部位である。具体的には、携帯電話機１００において、通話相手との間で接続が確立され音声による通話がなされる際、通話処理部１７５は、マイク１７２を介して入力された音声を音声信号に変換し、当該音声信号を、通信処理部１７０およびアンテナ１０７を介して通話相手に送る。また、通話相手から送られてきた音声信号は、アンテナ１０８および通信処理部１７０を介して通話処理部１７５に送られ、当該通話処理部１７５において音声に変換され、スピーカ１７４から出力される。
【００３８】
また、携帯電話機１００では、ドキュメント記憶部１１７に、ディスプレイ１５０に表示可能なドキュメント（文書情報）のデータが記憶されている。どのドキュメントが表示されるかは、入力部１２０から入力された情報に基づいて指定される。
【００３９】
ドキュメントが指定されると、表示処理部１１１は、当該指定されたドキュメントのデータをドキュメント記憶部１１７から呼び出し、レイアウト解析部１１２に当該ドキュメントのレイアウトを解析させ、ワークメモリ１１５上に当該ドキュメントのデータを展開させ、ＶＲＡＭ１１６に展開したデータを送って、ディスプレイ１５０に表示させる。なお、表示処理部１１１は、ドキュメント記憶部１１７から呼び出したデータを、ワークメモリ１１５で、適宜、合成用画像記憶部１８０に記憶された画像データと合成して、ＶＲＡＭ１１６に送る。合成用画像記憶部１８０に記憶される画像データとしては、たとえば、携帯電話機１００の電波の受信状態を表示させるための画像データや、入力部１２０に含まれる各キーにアサインされている機能の名称を表示するための画像データを挙げることができる。
【００４０】
拡大縮小処理部１１４は、入力部１２０からの指示に基づいて、ディスプレイ１５０に表示された画像を拡大または縮小させるための処理を行なう。プログラム記憶部１１８は、携帯電話機１００において実行されるプログラムを記憶する。スクロール処理部１１３は、入力部１２０からの指示に基づいて、ディスプレイ１５０に表示された画像をスクロールさせるための処理を行なう。
【００４１】
なお、携帯電話機１００では、ドキュメント記憶部１１７に記憶されるドキュメント（文書情報）であってユーザに指定されたドキュメントは、ディスプレイ１５０において、全体表示画面（後述する図１７等の全体表示画面５６０）にその全体を縮小されて表示されるとともに、部分拡大画面（後述する図１７等の部分拡大画面５６２）にその一部を拡大されて表示される。図３に示すように、指定されたドキュメントの全体が枠２００で囲まれた大きさの画像とした場合、枠２００内の画像が全体表示画面で表示され、たとえば、その一部分として枠２０１で囲まれた部分の画像が、部分拡大画面に、当該部分拡大画面の大きさに合うように展開されて、表示される。枠２０１にはその中心点２０１Ａが定義されている。枠２００の中の枠２０１の位置は、たとえば、枠２０１の中心点２０１Ａの位置を特定されることにより、特定される。
【００４２】
部分画像２０１の大きさは、拡大倍率に応じて決定される。つまり、設定される拡大倍率が高い場合、部分画像２０１は小さくなり、設定される拡大倍率が低い場合、部分画像２０１は大きくなる。また、中心点２０１Ａの位置は、ユーザによって指定されて変更されても良いし、表示処理部１１１によって枠２００内で継続的に所定の方向に変更されても良い。中心点２０１Ａの位置が継続的に所定の方向に変更されることにより、部分拡大画面内の画像は、所定の方向に継続的にスクロール表示されることになる。
【００４３】
次に、図４〜図２３を適宜参照して、携帯電話機１００における、ディスプレイ１５０に、ドキュメント記憶部１１７に記憶されているドキュメントを表示させる際に実行される処理を説明する。図４〜図６および図１８は、当該処理のフローチャートである。また、図７〜図１７および図１９〜図２３は、ディスプレイ１５０の表示内容を説明するための図である。
【００４４】
図４を参照して、携帯電話機１００では、ドキュメントをディスプレイ１５０に表示させるための操作がなされると、まず、ステップＳ１（以下、「ステップ」を省略する）で、ユーザから、表示するべきドキュメントを指定するための入力を待つ状態となる。
【００４５】
なお、ディスプレイ１５０では、通話等が行なわれていない待機状態では、図７に示された待ち受け画面５０１が表示される。待ち受け画面５１０には、所定の画像５２１とともに、機能キー１２２Ｃにアサインされている機能を表示する機能表示欄５２２が表示されている。機能表示欄５２２には、「メニュー」という文字が表示されている。これは、機能キー１２２Ｃに、後述するメニュー画面を表示するための機能がアサインされていることを示している。
【００４６】
図７に示された状態で、機能キー１２２Ｃが操作されると、図８に画面５０２として示されるような画面５０２が表示される。画面５０２には、メニュー画面５２６が含まれる。メニュー画面５２６では、「電卓」から「ドキュメントビューア」までの、携帯電話機１００における４種類の動作の名称（メニュー）が縦方向に列挙されている。メニュー画面５２６に表示されたメニューの中で選択されているメニューの上にはカーソル５２７が被されて表示されている。なお、カーソル５２７が表示される位置は、上キー１２１Ａを操作されるごとに上方に表示されているメニューに被るように移動し、下キー１２１Ｂを操作されるごとに下方に表示されているメニューに被るように移動する。
【００４７】
また、画面５０２には、機能キー１２２Ａにアサインされている「決定」という機能を表示する機能表示欄５２８が表示されている。Ｓ１の処理が開始される条件である、「ドキュメントをディスプレイ１５０に表示させるための操作」とは、ユーザによる、図７の画面５０１が表示されている際の機能キー１２２Ｃに対する操作と、画面５０２が表示されている際に「ドキュメントビューア」というメニューに被さるようにカーソル５２７を移動させた状態での機能キー１２２Ａの操作とを意味する。
【００４８】
上記のように「ドキュメントをディスプレイ１５０に表示させるための操作」がなされると、Ｓ１として説明したように、携帯電話機１００は「ドキュメントを指定される情報の入力を待つ状態」となる。この状態では、ディスプレイ１５０には、図９に示すような画面５０３が表示される。
【００４９】
図９に示された画面５０３には、「プレゼン資料」から「ソフトデザイン」まで、複数のドキュメントそれぞれのファイル名が縦方向に列挙されている。そして、画面５０３中に表示された複数のファイル名の中で選択されているファイル名の上にはカーソル５３１が被されて表示されている。なお、カーソル５３１が表示される位置は、上キー１２１Ａを操作されるごとに上方に表示されているファイル名に被るように移動し、下キー１２１Ｂを操作されるごとに下方に表示されているファイル名に被るように移動する。
【００５０】
再度図４を参照して、Ｓ１の処理の後、Ｓ２で、表示処理部１１１によって、ドキュメントを指定される情報が入力されたか否かの判断がなされる。そして、そのような情報が入力されたと判断されると、Ｓ３に処理が進められる。
【００５１】
図９に示された画面５０３には、機能キー１２２Ａにアサインされている「決定」という機能を表示する機能表示欄５３２が表示されている。Ｓ２において判断対象とされた、ドキュメントを指定するための情報の入力とは、ユーザが表示を希望するファイル名に被さるようにカーソル５３１を移動させた状態での機能キー１２２Ａに対する操作である。
【００５２】
再度図４を参照して、Ｓ３では、表示処理部１１１によって、指定されたドキュメントのデータがドキュメント記憶部１１７から呼び出されて、レイアウト解析１１２でレイアウト解析をされ、そして、ワークメモリ１１５に当該ドキュメントのデータに対応する画像が展開され、展開された画像からディスプレイ１５０に表示される分の画像がＶＲＡＭ１１６に送られて、ディスプレイ１５０で表示される。このような場合に、ディスプレイ１５０には、たとえば図１０に示す画面５０４が表示される。
【００５３】
画面５０４では、ドキュメントの画像５３６の他に、ファイル名表示欄５４０、機能キー１２２Ｂ，１２２Ａ，１２２Ｃのそれぞれにアサインされている機能を表示する機能表示欄５３７，５３８，５３９が表示されている。ファイル名表示欄５４０には、画像５３６が対応するドキュメントのファイル名（画面５０４では「プレゼン資料」）とともに、当該ファイル名がドキュメント記憶部１１７に記憶されているドキュメントの中で何番目のドキュメントに対応するものであるかを示す数字が表示されている。なお、画面５０４では、「１２／９９」と表示されている。これは、ドキュメント記憶部１１７に全部で９９のドキュメントが記憶され、そして、「プレゼン資料」というファイル名のドキュメントが１２番目に記憶されていることを意味する。
【００５４】
ディスプレイ１５０では、図１１に示されるように、ドキュメントの画像を表示するための領域であるドキュメント用領域５００Ａが定義されている。図１１には、例示のために、画面５００として、図１０に示された画面５０４の中でドキュメントの画像５３６のみが省略された画面が示されている。ドキュメント用領域５００Ａは、画面５００（ディスプレイ１５０）内に、その上方をファイル名表示欄５４０に対して所定の間隔を有し、その下方を機能表示欄５３７〜５３９に対して所定の間隔を有し、その左右を画面５００の左右端（ディスプレイ１５０の左右端）に対して所定の間隔を有するように、存在している。そして、図１０に示されたドキュメントの画像５３６は、ドキュメント用領域５００Ａにその全体が表示される程度の倍率で、表示されている。なお、この場合の倍率は、レイアウト解析部１１２で算出されるドキュメントの画像の大きさとドキュメント用領域５００Ａの大きさとに基づいて、表示処理部１１１によって算出される。
【００５５】
ファイル名表示欄５４０および機能表示欄５３７〜５３９を表示するための画像データは、合成用画像記憶部１８０に記憶されている。表示処理部１１１は、これらの画像データと、ドキュメントの画像データとをワークメモリ１１５で合成させ、図１０等に示されるような画面をディスプレイ１５０に表示させる。
【００５６】
再度図４を参照して、Ｓ４で、携帯電話機１００は、ユーザからの情報の入力を待つ状態となる。そして、何らか入力があったと判断すると、Ｓ５に処理が進められる。
【００５７】
Ｓ５では、表示処理部１１１によって、入力された情報が、表示された画像を拡大または縮小するための情報であるか否かが判断され、そうであると判断されればＳ６へ、そうではないと判断されればＳ７へ、それぞれ処理が進められる。
【００５８】
Ｓ７では、表示処理部１１１によって、入力された情報が、表示された画像の一部を拡大表示させるための情報であるか否かが判断され、そうであると判断されればＳ１１へ、そうではないと判断されればＳ８へ、それぞれ処理が進められる。
【００５９】
Ｓ８では、表示処理部１１１によって、入力された情報が、表示された画像を９０°回転させるための情報であるか否かが判断され、そうであると判断されればＳ９へ、そうではないと判断されればＳ１０へ、それぞれ処理が進められる。
【００６０】
Ｓ１０では、表示処理部１１１によって、入力された情報が、ドキュメントの表示を終了するための情報であるか否かが判断され、そうであると判断されれば表示処理部１１１によってディスプレイ１５０における表示をドキュメントの表示から待ち受け画面の表示に変更された後ドキュメントを表示させる処理が終了され、そうではないと判断されればＳ４に戻される。
【００６１】
図１０において、機能表示欄５３９には、「サブメニュー」という文字が表示されている。これは、機能キー１２２Ｃは、操作されることにより、ディスプレイ１５０にサブメニュー画面を表示させる機能をアサインされていることを意味する。
【００６２】
図１０に示された状態で、機能キー１２２Ｃが操作されると、ディスプレイ１５０には、図１２に示されるような画面５０８が表示される。
【００６３】
画面５０８は、サブメニュー画面５５０を含む。サブメニュー画面５５０には、「画面縮小」から「ボタン操作一覧」までの複数の機能の名称（メニュー）が縦方向に列挙されている。サブメニュー画面５５０では、さらに、選択されているメニューに被さるようにカーソル５１２が表示されている。また、画面５０８には、機能キー１２２Ａにアサインされている「決定」という機能を表示する機能表示欄５１４が表示されている。カーソル５１２が表示される位置は、上キー１２１Ａを操作されることにより上方に移動され、下キー１２１Ｂを操作されることにより下方に移動される。これにより、ユーザは、サブメニュー画面５５０が表示された場合に、上キー１２１Ａまたは下キー１２１Ｂを適宜操作することにより、所望のメニューを選択することができる。
【００６４】
図１２に示された画面５０８において、カーソル５１２が、サブメニュー画面５５０内の「画面拡大」または「画面縮小」というメニュー上に被された状態で機能キー１２２Ａが操作されると、表示処理部１１１は、Ｓ５において、入力された情報が、表示された画像を拡大または縮小するための情報であると判断する。そして、このように判断すると、表示処理部１１１は、Ｓ６で、拡大縮小処理部１１４に、ディスプレイ１５０に表示させる画像を入力された情報に従って拡大または縮小させる処理を行なって、Ｓ４に処理が戻される。なお、画像の拡大・縮小は、たとえば、ドキュメント記憶部１１７から呼び出されたデータを、拡大縮小処理部１１４によって拡大・縮小させた後、ワークメモリ１１５に展開させて、展開された画像の中から、ディスプレイ１５０に対応する部分の画像を適宜切り出すことにより、行なわれる場合がある。
【００６５】
図１０の画面５０４がディスプレイ１５０に表示された後、図１２に示されたようなサブメニュー画面５５０において「画面縮小」というメニュー上にカーソル５１２を被されて機能キー１２２Ａが操作されると、ディスプレイ１５０には、画面５０４の代わりに、図１３に示す画面５０６が表示される。画面５０６では、ファイル名表示欄５４０および機能表示欄５３７〜５３９とともに、ドキュメントの画像５５１が表示されている。ドキュメントの画像５５１は、図１０に示されたドキュメントの画像５３６が縮小されたものである。
【００６６】
図１０の画面５０４がディスプレイ１５０に表示された後、図１２のサブメニュー画面５５０において「画面拡大」というメニュー上にカーソル５１２を被されて機能キー１２２Ａが操作されると、ディスプレイ１５０には、画面５０４の代わりに、図１４に示す画面５０７が表示される。画面５０７では、ファイル名表示欄５４０および機能表示欄５３７〜５３９とともに、ドキュメントの画像５５２が表示されている。ドキュメントの画像５５２は、図１０に示されたドキュメントの画像５３６が拡大されたものであって、ドキュメント用領域５００Ａに適合するサイズ分だけ切出されたものである。なお、ドキュメントの画像５５２の中心点は、ドキュメントの画像５３６の中心点と同じものとされる。
【００６７】
本実施の形態では、ディスプレイ１５０に画像が表示される場合、ワークメモリ１１５に、ドキュメントの、ディスプレイ１５０に表示される領域よりも広い領域に対応する部分（または全体）の画像が展開され、そして、ワークメモリ１１５に展開された画像の中からメインディスプレイ１５０に表示される領域に対応する画像が切り出されてＶＲＡＭ１１６に記憶されるように記載される場合があるが、本発明に従った携帯情報機器が行なう処理は、このようなものに限定されない。つまり、結果的にワークメモリ１１５上に展開されるドキュメント全体の少なくとも一部がディスプレイ１５０（表示手段の表示領域）に表示されれば良く、ディスプレイ１５０に表示される領域のデータのみがワークメモリ１１５およびＶＲＡＭ１１６上に展開されるような処理によって、ディスプレイ１５０における表示がなされても良い。
【００６８】
再度図４を参照して、表示処理部１１１は、Ｓ８で、表示された画像を９０°回転させる情報が入力されたと判断すると、Ｓ９で、ディスプレイ１５０に表示させる画像を、９０°回転させる。これにより、ディスプレイ１５０には、図１０に示した画面５０４の代わりに、図１５に示される画面５１４が表示される。
【００６９】
画面５１４では、ファイル名表示欄５４０および機能表示欄５３７〜５３９とともに、ドキュメントの画像５８０が表示されている。ドキュメントの画像５８０は、図１０に示されたドキュメントの画像５３６が反時計方向に９０°回転されたものである。なお、表示処理部１１１は、画面５１４がディスプレイ１５０に表示された状態で、Ｓ８で表示された画像を９０°回転させる情報が入力されたと判断すると、画面５１４に代えて画面５０４を、ディスプレイ１５０に表示させる。
【００７０】
なお、本発明に従った携帯情報機器において画像を回転する方向や角度については、本実施の形態に記載されたものに限定されるものではなく、逆方向の回転でも良いし、任意の角度の回転であっても良い。特に、画面が縦長方向であることが標準的とされる携帯電話機等の携帯情報機器においては、画像を回転させることにより、表示領域を効率良く利用することができる。また、表示対象とされるドキュメント（文書情報）によっては、縦長であるものや横長のものが考えられるため、携帯情報機器において、文書情報の表示方向が変更されることにより、文書情報をユーザの見やすい態様で表示するにあたり、柔軟な対応が可能となる。なお、文書情報としては、動画情報（録画済みのファイル（携帯情報機器において記憶が完了しているファイル）および受信中のファイルを共に含む）であっても良く、静止画情報であっても良い。
【００７１】
図５を参照して、表示処理部１１１は、表示された画像の一部を拡大表示させるための情報が入力されたと判断すると、Ｓ１１で、ディスプレイ１５０のドキュメント領域５００Ａに相当する部分において、上部にドキュメントの全体を表示し、下部にドキュメントの一部分を拡大表示させる。
【００７２】
なお、図１２に示されたサブメニュー画面５５０において、「ルーペ」というメニューにカーソル５１２が被せられた状態（図１６参照）で機能キー１２２Ａが操作されることにより、表示処理部１１１は、表示された画像の一部を拡大表示させるための情報が入力されたと判断する。
【００７３】
図１７に、表示処理部１１１がＳ１１の処理によってディスプレイ１５０に表示させる画面である画面５０９を示す。
【００７４】
画面５０９では、ファイル名表示欄５４０とともに、全体表示画面５６０と部分拡大画面５６２とが表示されている。全体表示画面５６０は、現在表示対象となっているドキュメントの全体を表示させる画面である。全体表示画面５６０には、ルーペを表すルーペ画像５６１が表示されている。そして、部分拡大画面５６２は、全体表示画面５６０に表示されたドキュメントの、ルーペ画像５６１を中心とした部分を拡大して表示する画面である。部分拡大画面５６２には、図３を参照して説明したように、ドキュメント全体を示す枠２００内の一部分である枠２０１に囲まれる部分の画像が表示される。また、ルーペ画像５６１が表示される位置は、図３の枠２００内の中心点２０１Ａの位置に相当する。なお、ディスプレイ１５０において、全体表示画面５６０は、部分拡大画面５６２と重なりを持たないように表示されている。
【００７５】
表示処理部１１１が、Ｓ１１の処理によってディスプレイ１５０に画面５０９を表示させる場合、中心点２０１Ａの位置は、たとえば枠２００の中心等、表示させるドキュメントの中の予め定められた位置とされる。
【００７６】
なお、本実施の形態では、全体表示画面５６０は、部分拡大画面５６２よりも上方に表示されているが、これらの画面の相対的な位置関係は、このようなものに限定されない。つまり、全体表示画面５６０は、部分拡大画面５６２よりも下方に表示されても良いし、部分拡大画面５６２と左右方向に並んで表示されても良い。
【００７７】
ここで、さらに図５を参照して、画面５０９が表示された状態で、上キー１２１Ａ，下キー１２１Ｂ，左キー１２１Ｃまたは右キー１２１Ｄが操作されると、Ｓ１１の処理の後Ｓ１２でユーザからの入力を待つ状態となっていた携帯電話機１００は、Ｓ１３で、部分拡大画面５６２に表示させる部分を移動させるための操作がなされたと判断して、Ｓ１４に処理を移行させる。
【００７８】
Ｓ１４では、表示処理部１１１が、Ｓ１３で操作されたと判断したキーに対応した方向に、中心点２０１Ａの位置を予め定められた所定量だけ移動させることにより、ドキュメントの画像の中の部分拡大画面５６２に表示される部分を変更して、Ｓ１２に処理を戻す。
【００７９】
なお、本実施の形態では、文書情報がテキスト情報を含み、部分拡大画面５６２に、入力された行数に基づいて決定された拡大倍率で、拡大表示がなされる例が示されているが、本発明によってなされる拡大表示は、これに限定されない。本発明の携帯情報機器は、文書情報がテキスト情報を含む場合であっても含まない場合であっても、ユーザが、行数を指定する代わりに、文書情報の中で部分拡大画面５６２における表示の対象となる幅（自動スクロール制御でスクロールされる方向と交わる方向（特定の方向）についての幅）を入力できるように構成されても良い。そして、このような場合、携帯情報機器では、入力された幅に基づいて、当該幅の画像を部分拡大画面５６２全体に表示させるように、部分拡大画面５６２に表示させる拡大倍率が決定される。
【００８０】
再度図１７を参照して、画面５０９には、さらに、機能表示欄５５８，５３９が表示されている。機能表示欄５３９には、「サブメニュー」という文字が表示されている。これは、機能キー１２２Ｃに、後述するサブメニュー画面（図２０参照）を表示するための機能がアサインされていることを示している。
【００８１】
また、機能表示欄５５８には、「終了」という文字が表示されている。これは、機能キー１２２Ａに、図１７に示されたような、ディスプレイ１５０に、全体表示画面５６０と部分拡大画面５６２とを表示させる処理を終了させる機能がアサインされていることを意味する。ただし、後述するように、部分拡大画面５６２において表示が自動的にスクロールされている場合（自動スクロール制御が実行されている場合）には、ディスプレイ１５０には図１７と同様に「終了」の文字を表示するために機能表示欄５５８が表示され、そして、機能表示欄５５８に対応する機能キー１２２Ａには、部分拡大画面５６２における自動的なスクロールを終了させる機能がアサインされる。
【００８２】
図２０に、画面５０９が表示された状態で機能キー１２２Ｃが操作された場合にディスプレイ１５０に表示される画面５１０を示す。画面５１０では、ファイル名表示欄５４０が表示されている。なお、画面５１０では、全体表示画面５６０および部分拡大画面５６２と重なるように、サブメニュー画面５５５が表示されている。サブメニュー画面５５５には、「画面縮小」から「ボタン操作一覧」までの複数の機能の名称（メニュー）が縦方向に列挙されている。ただし、サブメニュー画面５５５に表示されるメニューは、サブメニュー画面５５０に表示されるメニューと一部異なっている。また、サブメニュー画面５５５では、さらに、選択されているメニューに被さるようにカーソル５５６が表示されている。また、画面５１０には、機能キー１２２Ａにアサインされている「決定」という機能を表示する機能表示欄５５７が表示されている。
【００８３】
ここで、さらに図５を参照して、サブメニュー画面５５５において、「画面縮小」「画面拡大」または「行数指定」というメニューに被さるようにカーソル５５６が表示された状態で機能キー１２２Ａが操作されると、表示処理部１１１は、Ｓ１５で、部分拡大画面５６２における表示の拡大倍率を変更するための操作がなされたと判断して、Ｓ１６で、そのような拡大倍率を変更するための処理を実行して、Ｓ１２に処理を戻す。
【００８４】
また、サブメニュー画面５５５において、「自動スクロール」というメニューに被さるようにカーソル５５６が表示された状態で機能キー１２２Ａが操作されると、表示処理部１１１は、Ｓ１７で、自動スクロールを実行するための操作がなされたと判断して、Ｓ１８で自動スクロールを開始させて、Ｓ１２に処理を戻す。なお、自動スクロールとは、部分拡大画面５６２における表示を自動的に継続してスクロールさせる制御である。
【００８５】
自動スクロールが開始されると、Ｓ２０において自動スクロールが停止されるまで、部分拡大画面５６２において表示が左から右へと継続してスクロール表示される。なお、部分拡大画面５６２における表示がドキュメントの右端まで移動した場合には、再度、部分拡大画面５６２には、ドキュメントの左端を含む画像が表示され、そこから、部分拡大画面５６２における表示は、左から右へと継続してスクロール表示される。なお、部分拡大画面あ５６２におけるスクロール表示に対応して、全体表示画面５６０では、ルーペ画像５６１の表示位置が変更される。これにより、ユーザは、部分拡大画面５６２においてスクロール表示が継続されていても、全体表示画面５６０におけるルーペ画像５６１の位置を見ることにより、部分拡大画面５６２において、全体表示画面５６０に表示された画像の中のどの部分が拡大表示されているのかを容易に認識できる。
【００８６】
なお、自動スクロールが開始されると、当該自動スクロールが終了するまで、表示処理部１１１は、図１８に示す自動スクロール処理を、他の処理と並行して、実行している。自動スクロール処理の内容を、図１９をさらに参照して説明する。図１９は、図３と同様に、ドキュメント記憶部１１７に記憶されたドキュメントが、全体表示画面５６０と部分拡大画面５６２とにどのように表示されるかを説明する図である。また、図１９では、図３と同様に、ドキュメントの全体に対応する画像であって全体表示画面５６０に表示される画像を枠２００で囲い、枠２００の中で部分拡大画面５６２に表示される部分を枠２０１で囲い、枠２０１の中心を中心点２０１Ａとしている。
【００８７】
自動スクロール処理では、まず、表示処理部１１１は、Ｓ１８１で、中心点２０１Ａの座標を、右方向に所定量移動させる。これにより、枠２００と枠２０１との位置関係が、たとえば、図１９（Ａ）に示すようなものから図１９（Ｂ）に示すようなものに変わる。
【００８８】
次に、Ｓ１８２で、表示処理部１１１は、部分拡大画面５６２に表示させる領域がドキュメントの右端に位置するようになったか否かを判断する。この判断は、具体的には、枠２０１が枠２００の右端に位置するようになったか否かによってなされる。まだ右端に位置していないと判断すると、表示処理部１１１は、Ｓ１８４に処理を進める。
【００８９】
一方、図１９（Ｃ）に示すように、右端に位置するようになったと判断すると、表示処理部１１１は、Ｓ１８３で、図１９（Ｄ）に示すように、部分拡大画面５６２に表示させる領域をドキュメントの左端に位置するように移動させて、Ｓ１８４に処理を進める。
【００９０】
Ｓ１８４では、表示処理部１１１は、前回Ｓ１８１で中心点の座標を移動させてから一定時間が経過したか否かを判断し、経過したと判断すると、Ｓ１８１に処理を戻す。
【００９１】
自動スクロールが行なわれている場合、ディスプレイ１５０には、機能表示欄５５８を含めた、図１７と同様の表示がなされる。そして、自動スクロールが行なわれている場合に、機能表示欄５５８に対応する機能キー１２２Ａが操作されると、表示処理部１１１は、Ｓ１９において、自動スクロールを終了させるための操作がなされたと判断して、Ｓ２０で、自動スクロールを停止させて、Ｓ１２に処理を戻す。なお、自動スクロールが停止されると、全体表示画面５６０では、ルーペ画像５６１が停止して表示され、また、部分拡大画面５６２においても継続して行なわれていたスクロール表示が停止される。
【００９２】
また、自動スクロールが行なわれていないときに、機能表示欄５５８に対応する機能キー１２２Ａが操作されると、表示処理部１１１は、Ｓ２１で、ドキュメントの一部の拡大表示を終了させるための操作がなされたと判断して、Ｓ２２で、ディスプレイ１５０に、図１０の画面５０４のような、ドキュメントの全体のみを示すような画面を表示させて、Ｓ４に処理を戻す。
【００９３】
図６は、図５のＳ１６の、部分拡大画面５６２における表示の拡大倍率を変更する処理（拡大画面の倍率変更処理）のサブルーチンのフローチャートである。以下、図６および図２０〜図２３を参照して、部分拡大画面５６２における表示の拡大倍率を変更する処理の内容について、説明する。
【００９４】
拡大画面の倍率変更処理が始まると、まず、表示処理部１１１は、Ｓ１６１で、ユーザから行数の指定を希望する情報が入力されたか否かを判断する。ここで言う行数とは、部分拡大画面５６２において表示するドキュメントの行数（縦方向の文字数）である。なお、ここでいう行数とは、たとえば、スクロール方向（左右方向）に対して垂直な方向と言うことができる。
【００９５】
拡大画面の倍率変更処理は、サブメニュー画面５５５において、「画面縮小」「画面拡大」または「行数指定」というメニューに被さるようにカーソル５５６が表示された状態で機能キー１２２Ａが操作されたことに応じて、開始される。そして、Ｓ１６１における判断は、このときの操作についてなされるものである。具体的には、サブメニュー画面５５５において、「行数指定」というメニューに被さるようにカーソル５５６が表示された状態で機能キー１２２Ａが操作されていれば、表示処理部１１１は、ユーザから行数の指定を希望する情報が入力されたと判断し、処理をＳ１６２に進める。一方、サブメニュー画面５５５において、「画面縮小」または「画面拡大」というメニューに被さるようにカーソル５５６が表示された状態で機能キー１２２Ａが操作されていれば、表示処理部１１１は、ユーザから行数の指定を希望する情報が入力されていないと判断し、処理をＳ１６５に進める。
【００９６】
Ｓ１６２では、表示処理部１１１は、ディスプレイ１５０に、図２１に示す画面５１１を表示させて、ユーザからの行数の入力を受付ける。画面５１１では、ファイル名表示欄５４０が表示されている。なお、画面５１１では、全体表示画面５６０および部分拡大画面５６２と重なるように、行数指定画面５７０が表示されている。行数指定画面５７０には、ユーザが指定する行数を入力するための行数入力欄５７１が表示されている。行数入力欄５７１には、行数に対応する数字が入力される。行数入力欄５７１内の数字は、上キー１２１Ａ、下キー１２１Ｂ、または、テンキーを含む１２キー１２４を操作することによって、適宜変更できる。また、画面５１１には、機能キー１２２Ａにアサインされている「決定」という機能を表示する機能表示欄５７２が表示されている。画面５１１が表示されている状態で機能キー１２２Ａが操作されることにより、その時点で行数入力欄５７１に表示されている行数が、携帯電話機１００に対して入力されることになる。これに応じて、表示処理部１１１は、処理を、Ｓ１６３に進める。
【００９７】
Ｓ１６３では、表示処理部１１１は、表示しようとするドキュメントについて、入力された行数のテキストを部分拡大画面５６２に表示させるための、当該部分拡大画面５６２における拡大倍率を算出する。なお、ここでの拡大倍率の算出は、入力された行数と部分拡大画面５６２の縦方向の大きさから、部分拡大画面において表示させる文字情報の大きさ（フォント数等）を算出することに基づいて行なわれる。
【００９８】
そして、Ｓ１６３で拡大倍率を算出すると、表示処理部１１１は、Ｓ１６４で、部分拡大画面５６２における拡大倍率を算出された倍率に変更して、リターンする。
【００９９】
部分拡大画面５６２における拡大倍率を変更された例として、図１７に示されたものに対して、倍率が低くされた場合を図２２に、倍率が高くされた場合を図２３にそれぞれ示す。
【０１００】
図２２には、ディスプレイ１５０に表示される画面５１２が示され、図２３には、ディスプレイ１５０に表示される画面５１３が示されている。画面５１２，５１３では、それぞれ、全体表示画面５６０、部分拡大画面５６２、ファイル名表示欄５４０、および、機能表示欄５５８，５３９が表示され、そして、それぞれの全体表示画面５６０には、ルーペ画像５６１が表示されている。
【０１０１】
図１７、図２２および図２３を参照して、画面５０９では、部分拡大画面５６２には、縦方向に３行の文字が表示されている。また、画面５１２では、部分拡大画面５６２には、縦方向に９行の文字が表示されている。そして、画面５１３では、部分拡大画面５６２には、縦方向に１行の文字が表示されている。
【０１０２】
一方、Ｓ１６５では、表示処理部１１１は、部分拡大画面５６２における表示の拡大倍率を、予め定められた倍率に変更して、リターンする。なお、Ｓ１６５では、拡大倍率は、拡大画面の倍率変更処理が、サブメニュー画面５５５において、「画面縮小」というメニューに基づいて操作されて開始されていれば、それまでの拡大倍率よりも一定の倍率だけ低いものとされ、「画面拡大」というメニューに基づいて操作されて開始されていれば、それまでの拡大倍率よりも一定の倍率だけ高いものとされる。
【０１０３】
以上説明した本実施の形態では、部分拡大画面５６２における自動スクロールの際のスクロール方向が左右方向とされ、また、画面５１１において指定される行数は縦方向の行スとされているが、本発明はこれに限定されない。スクロール方向は、縦方向（上下方向）とされても良いし、また、ユーザから指定される行数も、横方向（左右方向）の行数とされても良い。
【０１０４】
また、以上説明した本実施の形態における、図２１に示されたような行数の入力を受付ける処理は、ディスプレイ１５０に表示されるドキュメントの種類によっては、実行できないようにされても良い。つまり、たとえば、表示処理部１１１は、ディスプレイ１５０に表示されるドキュメントの種類がテキスト情報を含まないものである場合には、図２０に示されたサブメニュー画面５５５において、「行数指定」というメニューにはカーソル５５６を被せることができないように制御を実行しても良い。
【０１０５】
さらに、本実施の形態では、スクロール方向と、数を指定される行が並ぶ方向とは、異なるように説明されているが、同じであっても構わない。つまり、部分拡大画面において、自動スクロールで左右方向にスクロールされつつ、ユーザが指定した左右方向の文字数に基づいて拡大倍率が決定されても良い。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０７】
【図１】本発明の携帯情報機器の一実施の形態である携帯電話機の斜視図である。
【図２】図１の携帯電話機の機能ブロック図である。
【図３】図１の携帯電話機において、ドキュメント記憶部に記憶されたドキュメントが、全体表示画面と部分拡大画面にどのように表示されるかを説明する図である。
【図４】図１の携帯電話機において、ディスプレイに、ドキュメント記憶部に記憶されているドキュメントを表示させる際に実行される処理のフローチャートである。
【図５】図１の携帯電話機において、ディスプレイに、ドキュメント記憶部に記憶されているドキュメントを表示させる際に実行される処理のフローチャートである。
【図６】図１の携帯電話機において、ディスプレイに、ドキュメント記憶部に記憶されているドキュメントを表示させる際に実行される処理のフローチャートである。
【図７】図１の携帯電話機のディスプレイの表示内容を説明するための図である。
【図８】図１の携帯電話機のディスプレイの表示内容を説明するための図である。
【図９】図１の携帯電話機のディスプレイの表示内容を説明するための図である。
【図１０】図１の携帯電話機のディスプレイの表示内容を説明するための図である。
【図１１】図１の携帯電話機のディスプレイの表示内容を説明するための図である。
【図１２】図１の携帯電話機のディスプレイの表示内容を説明するための図である。
【図１３】図１の携帯電話機のディスプレイの表示内容を説明するための図である。
【図１４】図１の携帯電話機のディスプレイの表示内容を説明するための図である。
【図１５】図１の携帯電話機のディスプレイの表示内容を説明するための図である。
【図１６】図１の携帯電話機のディスプレイの表示内容を説明するための図である。
【図１７】図１の携帯電話機のディスプレイの表示内容を説明するための図である。
【図１８】図１の携帯電話機において、ディスプレイに、ドキュメント記憶部に記憶されているドキュメントを表示させる際に実行される処理のフローチャートである。
【図１９】図１の携帯電話機のディスプレイの表示内容を説明するための図である。
【図２０】図１の携帯電話機のディスプレイの表示内容を説明するための図である。
【図２１】図１の携帯電話機のディスプレイの表示内容を説明するための図である。
【図２２】図１の携帯電話機のディスプレイの表示内容を説明するための図である。
【図２３】図１の携帯電話機のディスプレイの表示内容を説明するための図である。
【符号の説明】
【０１０８】
１００  携帯電話機、１０８  アンテナ、１１１  表示処理部、１１２  レイアウト解析部、１１３  スクロール処理部、１１５  ワークメモリ、１１６  ＶＲＡＭ、１１７  ドキュメント記憶部、１１８  プログラム記憶部、１２０  入力部、１２１Ａ  上キー、１２１Ｂ  下キー、１２１Ｃ  左キー、１２１Ｄ  右キー、１２２Ａ〜１２２Ｃ  機能キー、１２４  １２キー、１５０  ディスプレイ、５６０  全体表示画面、５６１  ルーペ画像、５６２  部分拡大画面。
【図１】
2005267049.tif 000003
【図２】
2005267049.tif 000004
【図３】
2005267049.tif 000005
【図４】
2005267049.tif 000006
【図５】
2005267049.tif 000007
【図６】
2005267049.tif 000008
【図７】
2005267049.tif 000009
【図８】
2005267049.tif 000010
【図９】
2005267049.tif 000011
【図１０】
2005267049.tif 000012
【図１１】
2005267049.tif 000013
【図１２】
2005267049.tif 000014
【図１３】
2005267049.tif 000015
【図１４】
2005267049.tif 000016
【図１５】
2005267049.tif 000017
【図１６】
2005267049.tif 000018
【図１７】
2005267049.tif 000019
【図１８】
2005267049.tif 000020
【図１９】
2005267049.tif 000021
【図２０】
2005267049.tif 000022
【図２１】
2005267049.tif 000023
【図２２】
2005267049.tif 000024
【図２３】
2005267049.tif 000025